(57)【特許請求の範囲】
【請求項１】
座と背もたれとを備えており、前記背もたれは、座の後方に立ち上がったバックフレームと、このバックフレームの手前側に配置した背もたれ板と、バックフレームの裏側に配置した裏カバーとの三層構造になっており、前記裏カバーはバックフレームに固定されている、
という椅子であって、
前記背もたれ板の上部の裏面には、裏カバーの上部の前面に設けた上受け部に上方から嵌合する上取付け部と、前記裏カバーの上受け部への上方からの嵌め込みにて当該受け部に係合して上向き抜け不能となる係合爪が設けられている一方、前記背もたれ板の下部はバックフレーム又は裏カバーに対して前後離反不能でかつ上下動可能な状態に取付けられており、これにより、背もたれ板は下部が手前に押しやられるように撓み変形することが許容されており、
更に、前記バックフレームに、背もたれ板を前向きに押圧して撓み変形させるランバーサポート機構を取付けている、
椅子。
【請求項２】
前記背もたれ板の下部の裏面には、バックフレームに設けた水平状の横長部材と裏カバーとの間の空間に上方から嵌入する下取付け部が形成されており、この下取付け部の下端には、前記バックフレームの横長部材に下方から引っ掛かる爪を設けており、前記背もたれ板の下取付け部がバックフレームの横長部材によって前後離反不能で上下動可能に保持されている、
請求項１に記載した椅子。
【発明の詳細な説明】
【０００１】
【発明の属する技術分野】
本発明は、背もたれを備えた椅子に関するものである。
【０００２】
【従来の技術】
背もたれが後傾するロッキング椅子の場合、座の後方にバックフレーム（背支柱）を立ち上げて、このバックフレームに背もたれ板を取付けていることが多い。
【０００３】
その場合、バックフレームと背もたれ板との関係を見ると、背もたれ板の下部をバックフレームにねじ止めや嵌め込みなどの手段で固定していることが多い。
【０００４】
他方、特許第３０３８１７４号公報には、背もたれ板をバックフレーム（公報の名称では背支稈）に固定すると共に、バックフレームに側面視前向き凸で緩く湾曲した突出部材を上下動自在に設ける一方、背もたれ板のうち前記突出部材に当たる部分を撓み変形可能とすることにより、ランバーサポート機構を設けることが記載されている。
【０００５】
【発明が解決しようとする課題】
背もたれ板の下部をバックフレームに固定する構造では、背もたれ板の取付け強度を高めるにはバックフレームの高さを高くしなければならず、そうすると、バックフレームが背もたれ板の裏側に大きく露出して美感を損なう問題がある。
【０００６】
また、裏カバーの上部にバックフレームの下部を固定して、この裏カバーの前面に背もたれ板を取付けることも行われているが、この場合は、バックフレームや裏カバーが特別の構造になるため、製造に手間が掛かるのみならず、ヘッドレストやランバーサポート機構を取付けるのが難しいという問題がある。
【０００７】
他方、ランバーサポート機構を設ける場合、背もたれ板のうち着座した人の腰に当たる部分は側面視で山形に湾曲させる必要があり、このため、前記特許第３０３８１７４号公報の構成では、背もたれ板を座板と一体の構造として、背もたれ板のうち着座した人の腰に当たる部分に横長のスリットを多段に形成することにより、当該スリットを設けた部分がバックフレームの突出部に倣った状態で変形するようにしている。
【０００８】
しかし、この特許第３０３８１７４号公報のように背もたれ板を座板と一体に連設した構造では、背もたれが座板とは独立した状態で後傾するタイプのロッキング椅子には適用できない問題がある。
【０００９】
本発明は、このような現状を改善することを目的とするものである。
【００１０】
【課題を解決するための手段】
本発明に係る椅子は、座と背もたれとを備えており、前記背もたれは、座の後方に立ち上がったバックフレームと、このバックフレームの手前側に配置した背もたれ板と、バックフレームの裏側に配置した裏カバーとの三層構造になっており、前記裏カバーはバックフレームに固定されている。
【００１１】
前記背もたれ板の上部の裏面には、裏カバーの上部の前面に設けた上受け部に上方から嵌合する上取付け部と、前記裏カバーの上受け部への上方からの嵌め込みにて当該受け部に係合して上向き抜け不能となる係合爪が設けられている。
【００１２】
一方、前記背もたれ板の下部の裏面には、バックフレームに設けた水平状の横長部材と裏カバーとの間の空間に上方から嵌入する下取付け部が形成されており、この下取付け部の下端には、前記バックフレームの横長部材に下方から引っ掛かる爪を設けており、前記背もたれ板の下取付け部がバックフレームの横長部材に対して前後離反不能で上下動可能に取付けられており、更に、前記バックフレームに、背もたれ板を前向きに押圧して撓み変形させるランバーサポート機構を取付けている。
【００１３】
【００１４】
請求項２の発明では、前記背もたれ板の下部の裏面には、バックフレームに設けた水平状の横長部材と裏カバーとの間の空間に上方から嵌入する下取付け部が形成されており、この下取付け部の下端には、前記バックフレームの横長部材に下方から引っ掛かる爪を設けており、前記背もたれ板の下取付け部がバックフレームの横長部材によって前後離反不能で上下動可能に保持されている。
【００１５】
【００１６】
【発明の作用・効果】
本発明のように背もたれをバックフレームと背もたれ板と裏カバーとの三層構造にすると、バックフレームは背もたれの上部まで延長することができるため、背もたれを全体として頑丈な構造にすることができる。
【００１７】
特に、裏カバーをバックフレームに固定することにより、裏カバーの取付け強度を向上することが可能となる。
【００１８】
【００１９】
【００２０】
また、背もたれ板と裏カバーとの間にランバーサポート機構を配置したり、ヘッドレストの支柱を差し込む受け部を形成したりすることも容易に実現できる。
【００２１】
ところで、人が背もたれにもたれ掛かった、座り心地の点からは、背もたれ板が人の体型に倣うように撓み変形してフィット性を向上させるのが好ましい。この点、本願発明では、背もたれ板は撓み変形を許容した状態になっているため、座り心地を向上することができる。
【００２２】
また、本願発明では、ランバーサポート機構で背もたれ板を押すことにより、着座した人の体格や好みに応じてフィット感を得ることができるため、特に好適であるが、この場合、背もたれ板は、上取付け部を裏カバーの受け部に上方から嵌め込むと共に、下取付け部をバックフレームの横長部材と裏カバーとの間に差し込めば良いため、背もたれ板の取付けをごく簡単に行うことができる。
【００２３】
また、ランバーサポート機構の押圧部はバックフレームに取付けられているため、ランバーサポート機構の押圧部が裏側に露出することを防止して安全性を向上することができる。
【００２４】
【発明の実施形態】
次に、本発明の実施形態を図面に基づいて説明する。
【００２５】
(1).概要（図１〜図６）
先ず、図１〜図５に基づいて椅子の概要を説明する。図１は右側面図、図２は正面図、図３（Ａ）は背面図、図４は部材の分離斜視図、図５は部分的な縦断側面図である。
【００２６】
椅子は、脚支柱（ガスシリンダ）１を立設した脚２と、座３と、肘掛け装置４と、背もたれ５と、ヘッドレスト６とを備えている。脚支柱１の上端には上向きに開口したベース７が固定されており、ベース７の上方に正面視で翼状に広がる中間部材８と、座３とが配置されている。
【００２７】
詳細は省略するが、座３は、合成樹脂製の座板（座インナー部材）にクッションを張った構造になっており、座板の左右両側部を中間部材８に対して前後動自在に装着している。
【００２８】
中間部材８の前部と後部とには、左右一対ずつのブラケット部８ａ，８ｂを下向きに突設しており、前ブラケット部８ａを左右長手の第１軸９でベース７に連結している。第１軸９がベース７に嵌まる穴１０は前後長手の長穴になっている。
【００２９】
ベース７の前後略中間部には、揺動フレーム１１の前部が左右長手の第２軸１２によって連結されている。また、揺動フレーム１１の前後中途部には、中間部材８の後部ブラケット部８ｂが左右長手の第３軸１３によって連結されている。図４及び図５に示すように、第２軸１２のうちベース７の内部に位置した部位には、弾性支持手段の一例として左右２本のねじりばね（キックばね）１４が振り分けて配置されており、これらねじりばね１４の一端部が受け部材１５で上方から支持され、ねじりばね１４の他端には中間部材８の後部ブラケット８ｂが上方から当たっている。
【００３０】
従って、揺動フレーム１１はねじりばね１４の弾性に抗して後傾し、かつ、中間部材８及び座３は揺動フレーム１１の後傾動に連動して後傾しつつ後退する（すなわち、座３が背もたれ５にシンクロする）。ねじりばね１４の初期弾性力は、受け部材１５に係合したつまみ１６で調節できる。
【００３１】
揺動フレーム１１は、後部に立ち上がり部１１ａを有する側面視略Ｌ字状に形成されており、本実施形態では、アルミのような軽合金（鉄のような他の金属でも良い）のダイキャストや合成樹脂の成形によって製造されている。
【００３２】
そして、揺動フレーム１１の後ろ向き傾斜部は断面略三角形状で内向きに開口しており、内部に補強リブ１７を設けている。また、立ち上がり部１１ａは傾斜部とスムースに連続するように平面視で三角形状（或いは涙滴状）に形成されており、その前後両面に凹所１８を形成し、凹所１８にリブ１９を多段に設けている。
【００３３】
背もたれ５は、揺動フレーム１１に取付けたバックフレーム２０（背支柱）２０と、バックフレーム２０の手前側に配置した背もたれ板（背インナー部材）２１と、バックフレーム２０の裏側に配置した裏カバー（背アウター部材）２２とを備えている。背もたれ板２１の前面にはクッション２３を張っている。
【００３４】
図３（Ａ）（Ｂ）に示すように、バックフレーム２０の裏面には多数の小さな凹み２４を形成している。通常の裏カバーは平滑状や梨地状が多いが、これでは変化に乏しいばかりか、成形時の収縮によるヒケが目立つ場合がある。
【００３５】
これに対して本実施形態のように裏カバー２２の背面に多数の凹み２４を設けると、天井からの照明をメリハリ良く反射・吸収するため、アクセント効果によって体裁が良いと共に、成形時のヒケやキズを吸収できる利点を備えている。
【００３６】
以下、図６以下の図面に基づいて背もたれ５の詳細を説明する。図６は背もたれ板２１を省略した状態での背もたれ５の正面図、図７は背もたれの縦断側面図、図８はクッション２３を省略した状態での縦断側面図、図９（Ａ）はバックフレーム２０と揺動フレーム１１の分離正面図、図１０はバックフレーム２０と背もたれ板２１と裏カバー２２との分離側断面図、図１１及び図１２は背もたれ板２１の取付け状態を示す斜視図、図１３のうち（Ａ）は平面図、（Ｂ）は背もたれ板２１と裏カバー２２との分離平面図である。
【００３７】
(2).背もたれの基本構造
既述のとおり、背もたれ５は、金属製のバックフレーム２０と合成樹脂製の背もたれ板２１と同じく合成樹脂製の裏カバー２２とを備えており、バックフレーム２０にはランバーサポート機構２５を上下動自在に取付けている。
【００３８】
例えば図９や図１０に示すように、バックフレーム２０は左右の支柱２０ａを備えており、左右の支柱２０ａは上部横長部材２０ｂと下部横長部材（下係合部）２０ｃとで連結されている。上部横長部材２０ｂは断面コ字状で下部横長部材２０ｃは丸パイプになっているが、他の断面形状でも良い。また、更に中間横長部材を配置しても良い。
【００３９】
バックフレーム２０の左右支柱２０ａの下端部は、揺動フレーム１１の立ち上がり部１１ａに設けた穴に嵌め込まれており、ねじ２６で固定されている。この場合、凹所１８の箇所においてねじ２６をねじ込んでおり、このため、ねじ２６の頭が目立たずに体裁が良い。
【００４０】
例えば図６に示すように、裏カバー２２の上部には前向きに突出した左右長手の水平リブ２７を形成しており、この水平リブ２７に連設した状態で左右一対の下向き開口筒部２８が形成されており、この下向き開口筒部２８に、バックフレーム２０の支柱２０ａの上端を嵌め込み、ねじ２９で固定している。
【００４１】
また、図６〜８、図１０に示すように、裏カバー２２の下部には、バックフレーム２０の下部横長部材２０ｃに上方から嵌合するブラケット部３０を一体に設け、ブラケット部３０を下部横長部材２０ｃにねじ３１で固定している。
【００４２】
このように、バックフレーム２０は背もたれ５の上部まで延びており、かつ、裏カバー２２の前面の箇所をバックフレーム２０に固定するものであるため、裏カバー２２をバックフレーム２０に対して強固に固定できる。
【００４３】
既述の通り、背もたれ板２１の前面にはクッション２３が張られており、クッション２３の表面はクロス（布等の表皮材）３２で覆われている。
【００４４】
また、例えば図７，８，１０，１１に示すように、背もたれ板２１の上部には、裏カバー２２の水平リブ２７よりも上方に位置する左右長手の水平片３５を後ろ向きに突設しており、水平片３５の左右両端部に、円柱状の上取付け部３４を下向きに突設し、これを、裏カバー２２の水平リブ２７に連設した円筒状の上受け部３５に上方から嵌め込んでいる。
【００４５】
この場合、上取付け部３４と背もたれ板２１とは補強のために板状部３４ａによって一体に接続されている一方、裏カバー２２の上受け部３５には、板状部３４ａが嵌合するスリット３６を形成している。
【００４６】
また、上取付け部３４の先端には、上受け部３５の下端面に引っ掛かり係合する上係合爪３７を一体に設けている。このため、上取付け部３４を上受け部３５に嵌め込むと、背もたれ板２１は上向き抜け不能に保持される。図１１に黒抜き矢印で示すように、係合爪３７を外側から内側に押しやった状態で背もたれ板２１を上向きに押し上げると、背もたれ板２１を取り外すことができる。
【００４７】
裏カバー２２の左右両側部には、背もたれ板２１の裏面に向けて突出する縦リブ３８が形成されているが、係合爪３７の箇所では縦リブ３８は高さがごく低い切り欠き部３８ａとなっていて、係合爪３７の押し曲げ操作に支障が無いように配慮されている（完全に途切れても良い）。
【００４８】
背もたれ５を三層構造にして、背もたれ板２１と裏カバー２２との間に隙間を設けたことにより、係合爪３７のような背もたれ板２１の抜け防止用係合手段を外側から操作することが可能となり、その結果、背もたれ板２１の取付け・取り外しを簡単に行えるのである。
【００４９】
背もたれ板２１の下部には、バックフレーム２０の下部横長部材２０ｃと裏カバー２２との間の空間に上方から入る下取付け部３９を一体に形成している。下取付け部３９は、背もたれ板２１が手前側に移動し得るように上下方向に長く延びており、その下端に、バックフレーム２０の下部横長部材２０ｃに引っ掛かることによって背もたれ板２１の前向き移動限度を規制する爪３９ｃを設けている。
【００５０】
また、図１２に示すように、背もたれ板２１には下取付け部３９の上部を囲うようなスリット４０が形成されており、このため、下取付け部３９を前後移動させるように容易に変形させることができる。換言すると、下取付け部３９を下部横長部材２０ｃに係合させた状態で、背もたれ板２１の下部を手前に押しやるように容易に撓み変形させることができる。
【００５１】
背もたれ板２１を取付ける場合は、先に下取付け部３９を下部横長部材２０ｃと裏カバー２２との間に挿入してから、上部取付け部３４を裏カバー２２の上受け部３５に弾性に抗して嵌め込むことになる。取り外しは逆の手順で行う。
【００５２】
背もたれ板２１の背面と下取付け部３９との間の間隔はバックフレーム２０の下部横長部材２０ｃの直径よりも大きいため、背もたれ板２０がその下部において前後動することが許容されており、このため、背もたれ板２０は側面視でも撓み変形が可能なっており、その結果、着座した人に対するフィット感が高い利点がある。
【００５３】
クッション２３を覆うクロス３２は背もたれ板２１の裏面の全体を覆うように袋状に形成されており、クロス３２から水平リブ２７や下取付け部３９が露出した状態になっている。また、背もたれ板２１の水平片３５には左右に長いスリット４１が形成されており、このスリット４１に、クロス３２の縁部３２ａを差し込むことにより、水平片３５の箇所でクロス３２を美麗に処理している。
【００５４】
ヘッドレスト６は左右の支柱４２を備えており、左右の支柱４２は、裏カバー２２の前面に設けた上下一対ずつの受け筒部４５に差し込み装着されており、ねじで固定されている。背もたれ５を三層構造にしたことにより、ヘッドレスト６の取付けも簡単に行えるのである。
【００５５】
(3).ランバーサポート機構の構造
次に、図１４以下の図面も参照してランバーサポート機構２５について説明する。
【００５６】
図１４のうち（Ａ）は部分平面図、（Ｂ）は部分正面図，（Ｃ）は部分的な右側面図、図１５は要部の正面図、図１６は背もたれ板２１の側縁部の正面図、図１７は図１５のXVII-XVII 視断面図、図１８のうち（Ａ）は図１５の XVIII-XVIII視断面図、（Ｂ）は部材の分離図、（Ｃ）は（Ａ）の部分的な破断図、図１９は図１８のXIX-XIX 視断面図、図２０は図１８のXX−XX視断面図、図２１のうち（Ａ）は図１９の XXI-XXI視断面図、（Ｂ）は作用を示す概略図である。
【００５７】
ランバーサポート機構２５は、背もたれ板２１のうち特に着座した人の腰に当たる部分を前向き突出させることにより、着座した人に、その体格に応じた正しい姿勢を採れるようにするためのものである。
【００５８】
本実施形態のランバーサポート機構２５は、バックフレーム２０の支柱２０ａに上下動自在に装着したスライドケース（昇降手段の一例）４５と、左右のスライドケース４５を一体に連結する連結体（連結手段の一例）４６と、スライドケース４５に設けた押圧アーム（押圧手段の一例）４７と、左右の押圧アーム４７を一緒に回動させるための連動軸（連動手段の一例）４８と、左右の押圧アーム４７を同時に操作する操作手段の一例であるハンドル４９とを備えている。
【００５９】
図１９に示すように、スライドケース４５の内部には合成樹脂製の２つ割り式のスライダー５０が装着されている。また、図１５及び図１７に示すように、スライダー５０には下向き（上向きでも良い）に延びる片持ち梁状で先端が側断面山形に形成された撓み爪５１を設ける一方、裏カバー２２のうちスライドケース４５の後方位置に設けたリブ５２に、前記撓み爪５１が係合する側面視鋸歯状の凹凸部５２ａを形成している。
【００６０】
従って、スライドケース４５に対して上向き又は下向きのある程度の力を掛けると、撓み爪５１を弾性変形させてランバーサポート機構２５を上下動させることができ、かつ、上下方向の外力がなくなると、ランバーサポート機構２５はその高さに停止する。これにより、身長の違いに関係なく、着座した人の腰を的確に支持することができる。
【００６１】
スライドケース４５及びスライダー５０には、連動軸４８の左右端部が回転可能に貫通している。連動軸４８は左右スライドケース４５の間でクランク状に曲げられており、図１８（Ｃ）に示すように、連動軸４８のクランク部を連結板４６に当てることにより、一方方向の回転限度が規制されている。
【００６２】
図２１に示すように、スライドケース４５の左右側面部には、平断面略コ字状で上下に延びる受けケース５３が固定されており、この受けケース５３に平断面略コ字状の前記押圧アーム４７が前方から被さっている。そして、押圧アーム４７の上部に前記連動軸４８の左右端部が貫通しており、連動軸４８に押圧アーム４７を固定している。
【００６３】
従って、押圧アーム４７は連動軸４８と一体に回動する。連動軸４８の端部は受けケース５３に貫通しており、受けケース５３は連動軸４８に対する軸受けの役割も果たしている。
【００６４】
受けケース５３の上下中途部には、左右長手の支軸５４により、歯車５５とカム５６とが回転自在に支持されている。支軸５４と歯車５５とカム５６と一体に回転するようになっている。
【００６５】
図２１に示すように、カム５６の外周面で押圧アーム４７を支持するようになっているが、カム５６の外周面に軸心からの距離が異なる複数（６個）のカム面５６ａを形成することにより、カム５６が回転すると押圧アーム４７が連動軸４８の端部を中心にして回動するように設定している。
【００６６】
押圧アーム４７の下端には、背もたれ板２１の背面に当たるローラ５７を設けている。背もたれ板２１は平面視で前向き凹状に湾曲しているため、図２０に示すように、ローラ５７はテーパ状に形成されている。また、図１６に示すように、背もたれ板２１の左右側部には階段状に屈曲したスリット５８が多段に形成されており、スリット５８のうち階段状の部分がローラ５７に当たるように設定している。
【００６７】
図１８に示すように、受けケース５３の内部には、連動軸４８の端部に固定されたシーソー式回動部材５９が配置されており、回動部材５９に、歯車５５に噛合する爪材６０を取付けている。従って、回動部材５９を回動させると、歯車５５とカム５６とを回転させることができる。
【００６８】
この場合、回動部材５９を白抜き矢印方向に回動させると歯車５５が右側面視で半時計回り方向のみに間欠的に回転するように、歯車５５の歯を非対称状台形に形成しており、かつ、受けケース５３に、歯車５５の逆転を阻止する弾性ストッパー６１を取付けている。
【００６９】
そして、左右の回動部材５９にハンドル４９の左右端部４９ｂをねじ６２で固定している。ハンドル４９は裏カバー２２を後ろ側から覆うように形成されている。また、ハンドル４９の左右端部に立ち上がり部４９ａを設け、立ち上がり部４９ａの上端４９ｂが回動部材５９に固定されている。ハンドル４９と裏カバー２２との間には、当該ハンドル４９を人が握ったり、ハンドル４９に服やタオルなどを掛けたりすることのできる程度の空間が空いている。
【００７０】
(4).ランバーサポート機構の動き
ハンドル４９を手で持って手前側に回動させると、回動部材５９が回動してカム５６が位置方向に間欠的に回転するため、すなわち、カム５６はロータリー式になっているため、押圧アーム４７が回動することによって背もたれ板２１を少しずつ押し出せると共に、背もたれ板２１を最大突出位置まで押し出してから次にハンドル４９を回動させると、背もたれ板２１は最も後退している位置に戻る。
【００７１】
また、ハンドル４９を手で持ってある程度の力を掛けて上下方向に押し引きすると、前記した撓み爪５１と凹凸部５２ａとの作用により、ランバーサポート機構２５をごく細かいピッチで上下動させることができる。
【００７２】
本実施形態のようにハンドル４９の左右端部に立ち上がり部（端部４９ｂから見ると垂下部となる）４９ａを設けると、着座した状態でハンドル４９を簡単に掴むことができるため、着座した状態のままでランバーサポート機構２５の高さ調節や突出量調節を簡単に行うことができる利点がある。なお、本実施形態では、ハンドル４９の操作は、上半身を背もたれ５から浮かした状態で行う。
【００７３】
前記特許第３０３８１７４号の場合、背もたれ板の左右中間部が突起で支持されているため、背もたれ板が撓み変形することは殆どなく、このためフィット背もたれ板に乏しいという問題があるが、本実施形態では、背もたれ板２１の左右両端部を押圧アーム４７で押し出すものであるため、背もたれ板２１は平面視で後ろ向きに突出するように撓み変形することができ、このため、フィット性とクッション性とに優れている。
【００７４】
本実施形態のように背もたれ板２１のうちローラ５７が当たる部分にスリット５８を設けると、背もたれ板２１の撓みを容易ならしめて、ランバーサポート機能を向上できる。この場合、スリット５８を階段状に形成して、段違い部をローラ５７で支持しているため、スリット５８を設けたものでありながら、背もたれ板２１がローラ５７で押し破られるような状態になることを防止して、背もたれ板２１を的確に押し出すことができる。
【００７５】
(5).実施形態の利点
本実施形態のように、裏カバー２２と背もたれ板２１とのうち少なくともいずれか一方に水平リブ２７又は水平片３３を設けると、内部に物が落ち込むことを防止できる利点がある。
【００７６】
また、左右縦リブ３８の切り欠き部３８ａは、縦リブ３８がハンドル４９の水平端部４９ｂと干渉しないように、ハンドル４９の水平端部４９ｂが上下動する範囲に延びている。このようにすると、ハンドル４９の上下動操作機能を損なうことなく、背もたれ板２１と裏カバー２２との間の空間が外側に過度に露出することを防止して、体裁を向上できると共に、安全性も確保できる。
【００７７】
図１８から容易に理解できるように、ローラ５７を押圧アーム４７に取付けるに当たっては、押圧アーム４７の左右側板に形成したくびれ状穴６３にボス６４を強制的に嵌め込んでおり、このため、ローラ５７をワンタッチ的に取付けることができる。
【００７８】
なお、必ずしもローラ５７を設ける必要はなく、押圧アーム４７を背もたれ板２１に当てるだけでも良いが、ローラ４７を使用すると上下高さ調節をスムースに行える利点がある。
【００７９】
(6).その他
本発明は上記の実施形態の他にも様々に具体化できる。例えばバックフレーム２０は、例えば全体を板金製にしたりするなど、様々の形態・構造を採用できる。バックフレーム２０と揺動ハンドルとを一体化しても良いのである。
【００８０】
裏カバー及び背もたれ板も、デザイン等の必要に応じて様々に具体化することができる。ランバーサポート機構を設ける場合、その構造は図示のものに限定されるものではなく、例えば片側だけにハンドルを設けるなど、様々に具体化することができる。
【００８１】
【００８２】
背もたれ板の下部を裏カバー又はバックフレームに取付ける手段としては、裏カバー又はバックフレームに側面視で上向きの鉤状受け部を設ける一方、背もたれ板の裏面に、前記受け部に嵌まる平面視門型の下取付け部を設けるなどしても良い。もちろん、他の遊び付き係合手段を設けても良い。
【図面の簡単な説明】
【図１】椅子の右側面図である。
【図２】椅子の正面図である。
【図３】 (A)は椅子の背面図、 (B)は裏カバーの部分背面図、 (C)は (B)の C-C視断面図である。
【図４】ベースと中間部材との分離斜視図である。
【図５】部分的な縦断側面図である。
【図６】背もたれ板を省略した状態での背もたれの正面図である。
【図７】背もたれの縦断側面図である。
【図８】クッションを省略した状態での縦断側面図である。
【図９】 (A)はバックフレーム２０と揺動ハンドルの分離正面図、 (B)は (A)の B-B視断面図である。
【図10】背もたれの分離側断面図である。
【図11】背もたれ板の上部の取付け状態を示す斜視図である。
【図12】背もたれ板の下部の取付け状態を示す斜視図である。
【図13】 (A)は背もたれの概略平面図、 (B)は背もたれ板と裏カバーとの分離平面である。
【図14】 (A)は部分平面図、 (B)は部分正面図、 (C)は部分的な右側面図である。
【図15】ランバーサポート機構の要部の正面図である。
【図16】背もたれ板の側縁部の正面図である。
【図17】図１５のXVII−XVII視断面図である。
【図18】 (A)は図１５の XVIII-XVIII視断面図、 (B)は部材の分離図、 (C)は (A)の部分的な破断図である。
【図19】図１８のXIX-XIX視断面図である。
【図20】図１８のXX−XX視断面図である。
【図21】 (A)は図19の XXI-XXI視断面図、 (B)は作用を示す概略図である。
【符号の簡単な説明】
５  背もたれ
７  ベース
１１  揺動フレーム
２０  バックフレーム
２０ｃ  下部横長部材
２１  背もたれ板
２２  裏カバー
２５  ランバーサポート機構
２８  下向き筒部
３４  上取り付け部
３５  上受け部
３７  係合爪
３９  下取付け部
３９ａ  爪
４５  スライドケース
４６  連結板
４７  押圧アーム
４８  連動軸
４９  ハンドル
５５  歯車
５６  カム
５７  ローラ
【図１】
0004036428.tif 000002
【図２】
0004036428.tif 000003
【図３】
0004036428.tif 000004
【図４】
0004036428.tif 000005
【図５】
0004036428.tif 000006
【図６】
0004036428.tif 000007
【図７】
0004036428.tif 000008
【図８】
0004036428.tif 000009
【図９】
0004036428.tif 000010
【図１０】
0004036428.tif 000011
【図１１】
0004036428.tif 000012
【図１２】
0004036428.tif 000013
【図１３】
0004036428.tif 000014
【図１４】
0004036428.tif 000015
【図１５】
0004036428.tif 000016
【図１６】
0004036428.tif 000017
【図１７】
0004036428.tif 000018
【図１８】
0004036428.tif 000019
【図１９】
0004036428.tif 000020
【図２０】
0004036428.tif 000021
【図２１】
0004036428.tif 000022